(57)【要約】【課題】選別部を構成する部品の処理物接触面を撥水性材料で覆うにあたり、撥水性材料の摩耗や剥がれによって構成部品の基材が露出しても、錆に起因する汚粒の発生を防止する。【解決手段】茎稈から穀粒を脱穀する扱室７と、扱室７から漏下した処理物を選別する選別部１２とを備える汎用コンバイン１において、選別部１２の少なくとも一部の構成部品（例えば、グレンパン１９）を、ステンレス材１９ａで形成すると共に、その処理物接触面を撥水性材料１９ｂで覆う。【選択図】図３
2012039958.tif 000002
【特許請求の範囲】
【請求項１】
茎稈から穀粒を脱穀する扱室と、扱室から漏下した処理物を選別する選別部とを備える脱穀選別装置において、
前記選別部の少なくとも一部の構成部品を、ステンレス材で形成すると共に、その処理物接触面を撥水性材料で覆うことを特徴とする脱穀選別装置。
【請求項２】
前記選別部は、扱室から漏下した処理物を揺動選別する揺動選別体を備え、該揺動選別体のグレンパンを、ステンレス材で形成すると共に、その処理物接触面を撥水性材料で覆い、さらに、揺動選別体に対して着脱自在に構成したことを特徴とする請求項１記載の脱穀選別装置。
【発明の詳細な説明】
【技術分野】
【０００１】
本発明は、穀粒の脱穀や選別を行うコンバインなどの脱穀選別装置に関する。
【背景技術】
【０００２】
コンバインなどの脱穀選別装置は、茎稈から穀粒を脱穀する扱室や、扱室から漏下した処理物を選別する選別部を備えている。そして、一般的な脱穀選別装置の選別部は、扱室から漏下した処理物を揺動選別する揺動選別体を用いて構成されているが、揺動選別体を用いた選別部では、水分が多い湿材を選別する場合に、揺動選別体上における処理物の流れが悪くなり、作業効率や選別精度が低下するという問題がある。
【０００３】
そこで、揺動選別体における処理物接触面の一部又は全体をフッ素樹脂などの撥水性材料で覆うことが提案されている（例えば、特許文献１参照）。このようにすると、水分が多い湿材であっても、撥水性材料によって揺動選別体における流れが促進されるので、作業効率や選別精度の低下を抑えることができる。
【先行技術文献】
【特許文献】
【０００４】
【特許文献１】特開２００６−２７１３１５号公報
【発明の概要】
【発明が解決しようとする課題】
【０００５】
しかしながら、撥水性材料は、処理物との接触や衝突によって摩耗したり、剥がれる可能性がある。特に、刈取茎稈を扱室に全稈投入する汎用コンバインでは、扱室からの処理物が揺動選別体（グレンパン）に勢いよく衝突するので、その衝撃で撥水性材料が部分的に剥がれることがある。そして、撥水性材料の摩耗や剥がれによって揺動選別体の基材（例えば、鋼板）が露出すると、基材に錆が発生し、汚粒の原因となる惧れがあった。
【課題を解決するための手段】
【０００６】
本発明は、上記の如き実情に鑑みこれらの課題を解決することを目的として創作されたものであって、茎稈から穀粒を脱穀する扱室と、扱室から漏下した処理物を選別する選別部とを備える脱穀選別装置において、前記選別部の少なくとも一部の構成部品を、ステンレス材で形成すると共に、その処理物接触面を撥水性材料で覆うことを特徴とする。
また、前記選別部は、扱室から漏下した処理物を揺動選別する揺動選別体を備え、該揺動選別体のグレンパンを、ステンレス材で形成すると共に、その処理物接触面を撥水性材料で覆い、さらに、揺動選別体に対して着脱自在に構成したことを特徴とする。
【発明の効果】
【０００７】
請求項１の発明によれば、選別部を構成する部品の処理物接触面を撥水性材料で覆うものでありながら、仮に撥水性材料の摩耗や剥がれによって構成部品の基材が露出しても、基材が錆びにくいステンレス材で形成されているので、錆に起因する汚粒の発生を防止することができる。
また、請求項２の発明によれば、揺動選別体のグレンパンを、ステンレス材で形成すると共に、その処理物接触面を撥水性材料で覆ったので、仮に撥水性材料の摩耗や剥がれによってグレンパンの基材が露出しても、錆に起因する汚粒の発生を防止することができる。しかも、グレンパンは、揺動選別体に対して着脱自在に構成されるので、撥水性材料の摩耗や剥がれによって撥水性能が低下した場合に、グレンパンの交換にもとづいて撥水性能を復元させることができる。特に、刈取茎稈を扱室に全稈投入する汎用コンバインでは、扱室からの処理物がグレンパンに勢いよく衝突し、その衝撃で撥水性材料が剥がれる可能性が高いので、本発明の効果が顕著である。
【図面の簡単な説明】
【０００８】
【図１】汎用コンバインの左側面図である。
【図２】脱穀部の内部を示す左側面図である。
【図３】グレンパンの断面図である。
【発明を実施するための形態】
【０００９】
以下、本発明の実施の形態について、図面に基づいて説明する。図１において、１は汎用コンバイン（脱穀選別装置）であって、該汎用コンバイン１は、茎稈を刈り取る刈取部２と、刈り取った茎稈から穀粒を脱穀して選別する脱穀部３と、選別した穀粒を貯留する穀粒タンク４と、オペレータが乗車する操作部５と、クローラ式の走行部６とを備えて構成されている。
【００１０】
図２に示すように、脱穀部３は、刈取茎稈が全稈投入される扱室７と、扱室７内に回転自在に内装され、外周に突設される扱歯８で茎稈から穀粒を脱粒させる扱胴９と、扱胴９の下側に沿って配置され、扱室７から穀粒を漏下させる受網１０と、受網１０から漏下せずに扱室７の終端まで達した排出物を排出する排出口１１と、受網１０から漏下した穀粒を選別する選別部１２と、選別部１２の終端部及び扱室７の排出口１１に連通し、選別部１２側及び扱室７側から排出される排出物を機外に導く排塵部１３とを備えて構成されている。
【００１１】
選別部１２は、受網１０から漏下した穀粒を揺動選別する揺動選別体１４と、揺動選別体１４の前下方で選別風を起風する圧風ファン１５と、一番物を回収する一番ラセン１６と、一番物を一番ラセン１６へ導く一番流板１６ａと、二番物を回収する二番ラセン１７と、二番物を二番ラセン１７へ導く二番流板１７ａと、二番ラセン１７の前方で二番選別風を起風する二番選別ファン１８とを備えている。そして、一番ラセン１６によって回収された一番物は、図示しない揚穀筒を介して穀粒タンク４に貯留され、二番ラセン１７によって回収された二番物は、図示しない二番還元筒を介して揺動選別体１４上に還元されるようになっている。
【００１２】
揺動選別体１４は、受網１０から漏下した穀粒を後方へ順次搬送する波板状のグレンパン１９と、グレンパン１９の後方で穀粒をフィン２０ａによって篩い選別するチャフシーブ２０と、該チャフシーブ２０から漏下した穀粒をクリンプ網２１ａによって篩い選別するグレンシーブ２１と、チャフシーブ２０やグレンシーブ２１の終端まで達した処理物をラック（歯形板）２２ａによって篩い選別するストロラック２２と、グレンシーブ２１から漏下した一番物を一番ラセン１６（一番流板１６ａ）へ導く前側揺動流板２３と、ストロラック２２から漏下した二番物を二番ラセン１７（二番流板１７ａ）へ導く後側揺動流板２４とを備える揺動アッセンブリであり、図示しない駆動機構（クランク機構、カム機構など）によって所定の周期で連続的に往復揺動されるようになっている。
【００１３】
本発明の実施形態に係る汎用コンバイン１では、選別部１２の少なくとも一部の構成部品を、ステンレス材で形成すると共に、その処理物接触面をフッ素入り塗料などの撥水性材料で覆っている。このようにすると、選別部１２を構成する部品の処理物接触面を撥水性材料で覆うものでありながら、仮に撥水性材料の摩耗や剥がれによって構成部品の基材が露出しても、基材を錆びにくいステンレス材としたので、錆に起因する汚粒の発生を防止することが可能になる。
【００１４】
例えば、図３に示すように、本実施形態では、揺動選別体１４のグレンパン１９を、ステンレス材１９ａで形成すると共に、その処理物接触面を撥水性材料１９ｂで覆っている。このようにすると、仮に撥水性材料１９ｂの摩耗や剥がれによってグレンパン１９の基材が露出しても、錆に起因する汚粒の発生を防止することができる。特に、刈取茎稈を扱室７に全稈投入する本実施形態の汎用コンバイン１では、扱室７からの処理物がグレンパン１９に勢いよく衝突し、その衝撃で撥水性材料１９ｂが剥がれる可能性が高いので、本発明の効果が顕著である。
【００１５】
また、ステンレス材１９ａは、表面の滑り性が低いため、そのままだと処理物の滑りが悪く選別性能を低下させる惧れがあるが、その反面、鋼板に比べてフッ素入り塗料の塗料乗りが良いので、フッ素入り塗料が剥がれ難いという利点がある。また、フッ素入り塗料は、比較的高価であるため、選別部構成部品の表裏両面を塗装することなく、表面（処理物接触面）のみを塗装することも考えられるが、基材がステンレス材１９ａであれば、裏面が錆びることも防止できるので、裏面の錆びによる品質低下も防止することができる。尚、ステンレス材１９ａの代わりに、錆び難いメッキ鋼板を適用することも考えられるが、メッキ鋼板は、フッ素入り塗料を焼き付け塗装する際に、基材温度が高温になってメッキが剥げる惧れがあるので、適用が困難である。
【００１６】
さらに、本実施形態では、上記のように構成されたグレンパン１９を、揺動選別体１４に対して着脱自在に構成している。例えば、図３に示すように、着脱可能なネジ２５を介して、グレンパン１９を揺動選別体１４に固定する。このようにすると、撥水性材料１９ｂの摩耗や剥がれによって撥水性能が低下した場合に、新しいグレンパン１９に交換することによって撥水性能を復元させることが可能になる。
【００１７】
また、本実施形態では、前述した一番流板１６ａ、二番流板１７ａ、フィン２０ａ、クリンプ網２１ａ、ラック２２ａ、前側揺動流板２３、後側揺動流板２４についても、ステンレス材で形成し、その処理物接触面を撥水性材料で覆っている。このようにすると、仮に撥水性材料の摩耗や剥がれによって一番流板１６ａ、二番流板１７ａ、フィン２０ａ、クリンプ網２１ａ、ラック２２ａ、前側揺動流板２３、後側揺動流板２４の基材が露出しても、錆に起因する汚粒の発生を防止することができる。
【００１８】
叙述の如く構成された本実施形態によれば、茎稈から穀粒を脱穀する扱室７と、扱室７から漏下した処理物を選別する選別部１２とを備える汎用コンバイン１において、選別部１２の少なくとも一部の構成部品を、ステンレス材で形成すると共に、その処理物接触面を撥水性材料で覆うようにしたので、仮に撥水性材料の摩耗や剥がれによって構成部品の基材が露出しても、錆に起因する汚粒の発生を防止することができる。
【００１９】
また、選別部１２は、扱室７から漏下した処理物を揺動選別する揺動選別体１４を備え、該揺動選別体１４のグレンパン１９を、ステンレス材１９ａで形成すると共に、その処理物接触面を撥水性材料１９ｂで覆い、さらに、揺動選別体１４に対して着脱自在に構成したので、仮に撥水性材料１９ｂの摩耗や剥がれによってグレンパン１９の基材が露出しても、錆に起因する汚粒の発生を防止することができる。しかも、グレンパン１９は、揺動選別体１４に対して着脱自在に構成されるので、撥水性材料１９ｂの摩耗や剥がれによって撥水性能が低下した場合に、グレンパン１９の交換にもとづいて撥水性能を復元させることができる。特に、刈取茎稈を扱室７に全稈投入する汎用コンバイン１では、扱室７からの処理物がグレンパン１９に勢いよく衝突し、その衝撃で撥水性材料１９ｂが剥がれる可能性が高いので、本発明の効果が顕著である。
【００２０】
尚、本発明は、前記実施形態に限定されないことは勿論であって、特許請求の範囲内で適宜変更できることは言うまでもない。
例えば、前記実施形態のグレンパン１９は、波板であるが、ステンレス材を波板状に加工することが難しい場合は、グレンパン１９を波板以外の形状（例えば、平板）としてもよい。
【符号の説明】
【００２１】
１      汎用コンバイン
２      刈取部
３      脱穀部
７      扱室
１２    選別部
１４    揺動選別体
１６ａ  一番流板
１７ａ  二番流板
１９    グレンパン
１９ａ  ステンレス材
１９ｂ  撥水性材料
２０    チャフシーブ
２０ａ  フィン
２１    グレンシーブ
２１ａ  クリンプ網
２２    ストロラック
２２ａ  ラック
２３    前側揺動流板
２４    後側揺動流板
【図１】
2012039958.tif 000003
【図２】
2012039958.tif 000004
【図３】
2012039958.tif 000005